(57)【要約】【課題】音声多重信号などのような多チャンネル信号を正確に取り扱うことができるようにする。【解決手段】第1のフォーマッタ（FRM）は、少なくとも２チャンネルの音声データを、単一のストリームとなる第1のフォーマットの音声ストリームに変換する。第1の記録装置（HDD）は、上記変換された第1のフォーマットの音声ストリームを記録する。第2のフォーマッタ（３０）は第1の記録装置に記録された、第1のフォーマットの音声ストリームを、チャンネル毎に、ひとつのストリームに変換し、少なくとも第1及び第2の音声ストリームを生成し、各チャンネルに対応した当該第1及び第2の音声ストリームに対してストリーム識別子（サブストリームID）を与えて、第２のフォーマットの音声ストリームに変換する。【選択図】      図１
2004355806.tif 000002
【特許請求の範囲】
【請求項１】
入力音声データを圧縮符号化するオーディオエンコーダと、
ビデオデータと複数のチャンネルの圧縮音声データとをパケット化して混合し、第1のフォーマットの１ストリームに変換する第1のフォーマッタと、
変換された前記第1のフォーマットの１ストリームを記録媒体の記録する第1の記録装置と、
前記記録媒体の１ストリームを再生し、前記符号化音声データをデコードするオーディオデコーダと、
前記オーディオデコーダでデコードされた音声信号の複数チャンネルを分離して、それぞれを第２のフォーマッタに供給し第２のフォーマットの音声ストリームを得る手段と
を備えたことを特徴とする情報記録再生装置。
【請求項２】
さらに第2の記録装置を具備し、前記第2のフォーマットの音声ストリームは、前記第2の記録装置により情報記録されるディスクに記録されることを特徴とする請求項1記載の情報記録再生装置。
【請求項３】
前記第１のフォーマッタは、圧縮音声データまたは非圧縮音声データを選択的に導入可能であることを特徴とする請求項１記載の情報器録再生装置。
【発明の詳細な説明】
【技術分野】
【０００１】
この発明は、情報記録再生装置に関するもので、特にストリーム処理機能に改善を施したものである。
【背景技術】
【０００２】
近年、高密度記録が可能な光ディスク（デジタルバーサタイルディスク：DVDと称される）が開発されている。そこでビデオを圧縮処理し、オーディオデータに関してはリニアPCM方式により処理するDVDビデオ規格がまとめられている。このDVD規格に基き処理されたデータを記録した媒体は、DVD-ROMと称され販売されている。またDVDレコーディング規格（リアルタイムレコーディング（RTR）規格とも言われる）もまとめられ、１回記録が可能なDVD−R、繰り返し記録、消去が可能なDVD−RW、DVD−RAMを媒体としてビデオデータやオーディオデータを記録する装置もある。
【０００３】
しかしながら上記のDVDビデオ規格（DVD-Vｉｄｅｏ）と、DVDレコーディング規格（ＤＶＤ−ＲＴＲ）では、互換性の問題で、相互の情報の再生ができない。
【０００４】
ＤＶＤビデオフォーマットの互換性に関する従来例として、特開平１１−４５５１２号公報、特開平１１−３１３６２号公報、特開平２０００−２１０８９号公報がある。
【０００５】
しかしこれらの文献に記載された技術は、音声多重信号（特に主音声と副音声）とをどのように取り扱うかということについては、詳しく検討されていない。このために、再生を行なったときに、主音声と副音声が同時に左右のスピーカからミックスされて出力されるというような現象が生じる。このようなことを防止するために、いずれか一方の音声を記録するという対策が講じられているものもある。
【０００６】
例えば、デジタル映像情報記録再生装置を用いて、音声多重・二カ国語放送をビデオレコーディング規格に基くフォーマット（第一の記録フォーマット）で録画する場合、音声情報はデュアルモノラルモードとして記録される。この際、記録された映像音声データをビデオ規格に基くフォーマット（第二の記録フォーマット）へ変換して記録する場合、デュアルモノラルモードの音声情報をステレオ音声とみなし変換を行う。これより、ビデオ規格（第二の記録フォーマット）に準拠した映像音声データを生成することが可能であるが、ステレオ音声として変換してしまう為に、再生機の音声多重（音多）切替機能を使用することが不可能となるという問題がある。
【特許文献１】特開２００２−２９８５５６
【特許文献２】特開平１０−２１６７３
【発明の開示】
【発明が解決しようとする課題】
【０００７】
上記のように従来は、音声多重信号に対してビデオ規格に基づくフォーマットと、ビデオレコーディング規格に基くフォーマットは、相互の互換性があるように規定されていない。
【０００８】
そこでこの発明は、音声多重信号を正確に取り扱うことが可能な情報記録再生装置を提供することを目的とする。
【課題を解決するための手段】
【０００９】
上記の目的を達成するためにこの発明は、入力音声データを圧縮符号化するオーディオエンコーダと、ビデオデータと複数のチャンネルの圧縮音声データとをパケット化して混合し、第1のフォーマットの１ストリームに変換する第1のフォーマッタと、変換された前記第1のフォーマットの１ストリームを記録媒体の記録する第1の記録装置と、前記記録媒体の１ストリームを再生し、前記符号化音声データをデコードするオーディオデコーダと、前記オーディオデコーダでデコードされた音声信号の複数チャンネルを分離して、それぞれを第２のフォーマッタに供給し第２のフォーマットの音声ストリームを得る手段とを備える。
【発明の効果】
【００１０】
上記の手段により、１次記録時は圧縮して記録して記録媒体を有効に利用し、２次記録時は、再生側で有効なフォーマットにすることができる。
【発明を実施するための最良の形態】
【００１１】
以下、この発明の実施の形態を図面を参照して説明する。
【００１２】
まず、この発明が適用された情報記録再生装置の全体的な構成を概略的に説明する。
【００１３】
図１は、この発明を適用した記録再生装置の一実施の形態を示す図である。この実施例は、記録媒体として、ＤＶＤ−ＲＡＭ、ハードディスクの両方を取扱うことができる記録再生装置として示しているが、いずれか一方のみの記録媒体を取り扱う装置に対しても本発明は適用可能である。またハードディスク或はＤＶＤ−ＲＡＭは半導体メモリによる記憶媒体に置換されてもよい。
【００１４】
図１の各ブロックを大きく分けると、左側には記録部の主なブロックを示し、右側には再生部の主なブロックを示している。
【００１５】
この情報記録再生装置は、ハードディスク２００１に対して、情報の読み書きをするハードディスクドライブ（HDD）２００２と、ビデオファイルを構築できる媒体である光ディスク１００１に対して情報の読み書きをするディスクドライブ１００２と、ハードディスクドライブ２００２及びディスクドライブ１００２に記録データを供給することができ、また、再生された信号を受け取るデータプロセッサ１００３とを有する。データプロセッサ１００３は、記録或は再生単位のデータを取扱うもので、バッファ回路、変調・復調回路、エラー訂正部などを含む。またデータプロセッサ１００３には、記録或は再生するデータを一時的に格納するバッファメモリ１００４が接続されている。
【００１６】
また記録再生装置は、録画側を構成するエンコーダ部５０と、再生側を構成するデコーダ部６０と、装置本体の動作を制御するマイクロコンピュータブロック３０とを主たる構成要素としている。
【００１７】
エンコーダ部５０は、入力されたアナログビデオ信号、入力されたアナログオーディオ信号を、デジタル化するビデオ用及びオーディオ用のアナログデジタルコンバータADCと、ビデオエンコーダV-Eと、オーディオエンコーダA-Eとを有する。さらにまた、副映像エンコーダSP-Eも含む。また各エンコーダの出力を所定のＤＶＤ−ＲＡＭのフォーマットにするフォーマッタFRMと、バッファメモリとを備えている。エンコーダ部５０には、ＡＶ入力部４１からの外部アナログビデオ信号と外部アナログオーディオ信号、あるいはＴＶ（テレビジョン）チューナ４２からのアナログビデオ信号とアナログ音声信号が入力される。
【００１８】
尚、エンコーダ部５０は、直接デジタルビデオ信号やデジタルオーディオ信号が入力されるときは、デジタルビデオ信号やデジタルオーディオ信号を直接フォーマッタに供給することができる。またデコーダ部６０のビデオ処理部V-PRO、オーディオセレクタ（図示せず）にも各ビデオデータ、オーディオデータを供給することができる。この系統は、モニタ出力を得る場合に利用可能である。
【００１９】
ビデオエンコーダでは、デジタルビデオ信号は、ＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて、固定ビットレートで圧縮されたデジタルオーディオ信号またはリニアＰＣＭのデジタルオーディオ信号に変換される。
【００２０】
副映像情報がＡＶ入力部４２から入力された場合（例えば副映像信号の独立出力端子付ＤＶＤビデオプレーヤからの信号）、あるいはこのようなデータ構成のＤＶＤビデオ信号が放送され、それがＴＶチューナ４２で受信された場合は、ＤＶＤビデオ信号中の副映像信号が、副映像エンコーダSP-Eでエンコード（ランレングス圧縮）され、副映像のビットマップとなる。
【００２１】
エンコードされたデジタルビデオ信号、デジタルオーディオ信号、副映像データは、フォーマッタFRMにおいてパック化され、ビデオパック、オーディオパック、副映像パックとなる。さらにこれらが集合されて、ビデオオブジェクトユニットとして構築され、このビデオオブジェクトユニットが集合されてビデオオブジェクトとして管理される。つまりDVDレコーディング規格（例えばＤＶＤ−ＲＡＭ、DVD‐RWなどの規格）で規定されたフォーマットに変換される。
【００２２】
ここで、本装置は、エンコーダ部５０でエンコードされた情報（ビデオ、オーディオ、副映像データなどのパック）及び作成された管理情報を、データプロセッサ１００３を介してハードディスクドライブ２００２に供給し、ハードディスクに記録することができる。またハードディスクに記録された情報を、データプロセッサ部１００３、ディスクドライブ１００２を介して光ディスク１００１に記録することもできる。これは、ハードディスクに記録されている情報が、光ディスク１００１のデータフォーマットと略同じであることによる。
【００２３】
ここで、本発明の装置は、特定の情報（例えば音声多重信号）が１ストリームでハードディスクに記録されているときは、これを例えば２つのストリームに変換するフォーマット変換処理を実行することができる。この変換処理については後で詳しく説明する。
【００２４】
さらにまた、エンコーダ部５０でエンコードされた情報、及び、作成された管理情報をデータプロセッサ部１００３、ディスクドライブ１００２を介して、光ディスク１００１に直接記録することもできる。さらには、光ディスク１００１及びハードディスク２００１に記録されている（ファイル或はビデオオブジェクト）を削除することもできる。
【００２５】
またハードディスク２００１或は光ディスク１００１に記録されている複数番組のビデオオブジェクトを、一部削除したり、異なる番組のオブジェクトを繋げたり、する編集処理を行うこともできる。これは、本発明に係るフォーマットが取り扱うデータ単位（後述する）を定義し、編集を容易にしているからである。
【００２６】
また、ディスクドライブ１００２は、光ディスク１００１に対する回転制御系、レーザ駆動系、光学系などを有する。
【００２７】
マイクロコンピュータブロック３０は、ＭＰＵ（マイクロプロセシングユニット）、またはＣＰＵ（セントラルプロセシングユニット）と、制御プログラム等が書き込まれたＲＯＭと、プログラム実行に必要なワークエリアを提供するためのＲＡＭとを含んでいる。
【００２８】
マイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定等を実行する。
【００２９】
また、マイクロコンピュータブロック３０は、システム全体を制御するために必要な情報処理部を有するもので、ワークRAM、ディレクトリ処理部、VMG（全体のビデオ管理情報）処理部、パケットヘッダ処理部、シーケンスヘッダ処理部、フォーマット変換処理部などを備える。
【００３０】
ＭＰＵの実行結果のうち、ユーザに通知すべき内容は、ＤＶＤビデオレコーダの表示部４３に表示されるか、またはモニタディスプレイにＯＳＤ（オンスクリーンディスプレイ）表示される。また、マイクロコンピュータブロック３０には、この装置を操作するための操作信号を与える操作部（リモートコントローラで合っても良い）４４を有する。
【００３１】
なお、マイクロコンピュータブロック３０が、ディスクドライブ１００２、データプロセッサ１００３、エンコーダ部５０及び／またはデコーダ部６０等を制御するタイミングは、ＳＴＣ３１からの時間データに基づいて、実行することができる。録画や再生の動作は、通常はＳＴＣ３１からのタイムクロックに同期して実行されるが、それ以外の処理は、ＳＴＣ３１とは独立したタイミングで実行されてもよい。
【００３２】
デコーダ部６０は、パック構造を持つＤＶＤフォーマットの信号から各パックを分離して取り出すセパレータSEPと、パック分離やその他の信号処理実行時に使用するメモリと、セパレータで分離された主映像データ（ビデオパックの内容）をデコードするＶデコーダV-Dと、セパレータで分離された副映像データ（副映像パックの内容）をデコードするＳＰデコーダSP-Dと、セパレータで分離されたオーディオデータ（オーディオパックの内容）をデコードするＡデコーダA-Dを有する。
【００３３】
またデコードされた主映像データにデコードされた副映像データを適宜合成し、主映像にメニュー、ハイライトボタン、字幕やその他の副映像を重ねて出力するビデオプロセッサV-PROを備えている。
【００３４】
デコーダ部６０の出力ビデオ信号は、デジタルアナログ変換されてTV出力部に導出される。デコーダ部６０の出力オーディオ信号は、セレクタ（図示せず）を介してデジタルアナログ変換されてオーディオ出力部に導出される。
【００３５】
尚、エンコーダ部５０のフォーマッタFRMでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などがある。
【００３６】
ＭＰＵは、またビデオオーディオ再生のための各種の管理情報を作成することができる。再生時には、各デコーダはこの管理情報情報を元に初期設定、再生処理などを実行する。
【００３７】
ここで、ＤＶＤを利用したリアルタイム記録再生機において、注意すべき点は、データをアクセスする場合、そのアクセス（シーク）している間に、とぎれないで再生を続けるために、最低限連続するセクタが必要になってくる。この単位をＣＤＡ（コンティギュアス・データ・エリア）という。つまりシームレス再生を実現するために予め取り決められているデータサイズである。
【００３８】
このＣＤＡは、ＥＣＣ（エラー訂正コード）ブロック単位となっている方が有利である。そのため、ＣＤＡサイズは１６セクタの倍数にし、ファイルシステムでは、このＣＤＡ単位で記録を行っている。データプロセッサ部１００３は、エンコーダ部５０のフォーマッタからＶＯＢＵ単位のデータを受け取り、ＣＤＡ単位のデータを、ディスクドライブ部１００２に供給している。またマイクロコンピュータブロック３０のＭＰＵは、記録したデータを再生するのに必要な管理情報を作成し、データ記録終了のコマンドを認識すると、作成した管理情報をデータ処理部１００３に送る。これにより、管理情報がディスクに記録される。したがって、エンコードが行なわれているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には、ディスクから読み取った管理情報（ファイルシステム）を認識し、ディスクの未記録エリアを認識し、データの記録エリアをデータプロセッサ部１００３を介してディスクに設定している。
【００３９】
また図１に示したデジタル信号プロセッサ部８０は、後述する音声多重信号のフォーマット変換を行う専用の部分である。この部分は専用ハードウエアとして構成されてもよいが、この部分の機能は、マイクロコンピュータブロック３０内のソフトウエアで実現されてもよい。
【００４０】
ここで本発明に関係する音声信号のエンコーディング処理系統、特に第１のフォーマットによる系統について説明する。テレビジョン放送における音声信号としては、モノラル、ステレオ、音声多重信号の種類が存在する。
【００４１】
図２は、ステレオ信号と音声多重信号（多重信号）とが、TVチューナ４２で処理される例を示している。多重信号は、多重チャンネル分離フィルタでキャリア毎にフィルタリング（A１）され、それぞれが復調される。多重信号は、複数の信号、つまり主音声（またはL信号）と、副音声（R信号）とが異なるキャリアでFM変調されて伝送されてくる。このために、それぞれのチャンネルをフィルタで分離し、各チャンネルをFM復調することで主音声（またはL信号）と、副音声（R信号）とを得ることができる。分離された主チャンネル信号（Lチャンネル信号）（A2）、副チャンネル信号（Rチャンネル信号）（A3）とは、エンコーダ側のアナログデジタル変換処理される（A４）。そしてオーディオエンコーダによりエンコードされる（A５）。
【００４２】
エンコード処理は、リニアPCM,或は圧縮処理であるMPEG,或はAC３等の方式で行なわれる。エンコードされたオーディオ情報は、パック化されて、マルチプレクサに入力され、他のパックととともに所定単位のユニット内に配列、つまりフォーマット化される（A6）。他のパックとしては、ビデオパック、副映像パック、制御データパック（RDI）などが存在する。この第１のフォーマットでは、オーディオパック列は、１ストリームとして定義される。
【００４３】
図３には、リアルタイムＤＶＤの管理情報と、コンテンツであるビデオオブジェクトとの関係を簡単に示している。
【００４４】
図３において、まずビデオオブジェクト（ＶＯＢ）について説明する。ＶＯＢはディレクトリーでは、ＶＲ＿ＭＯＶＩＥ．ＶＲＯファイルと称される。ビデオファイルは、階層構造であり、１つのファイルは、１つ又は複数のＶＯＢ（ビデオオブジェクト）で構成され、１つのＶＯＢは、１つ又は複数のＶＯＢＵ（ビデオオブジェクトユニット）で構成され、１つのＶＯＢＵは、複数パックから構成される。
【００４５】
複数のパックとしては、図２の説明でも述べたように、ユニット制御情報としてのＲＤＩパック、Ｖ（ビデオ）パック、Ａ（オーディオ）パック等が存在する。副映像パック（ＳＰパック）が存在してもよい。
【００４６】
ＲＤＩパックはリアルタイムデータ情報パック（ＲＤＩ＿ＰＣＫ）とも称される。このパックには、これが属するＶＯＢＵの最初のフィールドが再生される開始時間を示す情報、当該ＶＯＢＵの記録時を示す情報、製造者情報（ＭＮＦＩ）などを含む。また、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。コピーコントロール情報（ＣＣＩ）は、コピー許可情報（０，０）、またはコピー禁止（コピー否許可）情報（１，１）を含む。
【００４７】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ，あるいはＡＣ３などの方式で処理されたものであり、パックヘッダ、パケットヘッダ、オーディオデータ部で構成される。
【００４８】
管理情報は、ビデオマネージャー（ＶＭＧ）と称され、その中にデータ再生順序を管理するプログラムチェーン（ＰＧＣ）が定義されている。このプログラムチェーン（ＰＧＣ）には、セル（Ｃｅｌｌ）が定義され、さらにセル（Ｃｅｌｌ）には、再生すべき対象となるビデオオブジェクト（ＶＯＢ）の情報であるビデオオブジェクト情報（ＶＯＢＩ）が定義される。ＰＧＣの具体的情報を記録してある部分がプログラムチェーン情報（ＰＧＣＩ）部分である。ＰＧＣＩには、2種類が存在し、１つはオリジナルＰＧＣＩ（ＯＲＧ＿ＰＧＣＩ），もう1つはユーザディファインドＰＧＣテーブル（ＵＤ＿ＰＧＣＩＴ）である。
【００４９】
ＶＯＢＩ内には、タイムマップ（ＴＭＡＰ）が記述されており、このＴＭＡＰは、ＶＯＢＩに対応するＶＯＢを構成しているＶＯＢＵを指定することができる。セルからＶＯＢＩへのリンクは、論理アドレスで特定されている。また、ＴＭＡＰ情報からＶＯＢ及びＶＯＢＵへのリンクは、ＶＯＢのストリーム番号、このＶＯＢ内のＶＯＢＵの数、各ＶＯＢＵに対するエントリー番号、各ターゲットＶＯＢＵへの論理アドレスに基づいて行なわれている。
【００５０】
上記したリアルタイムデータ情報パック（ＲＤＩ＿ＰＣＫ）に含まれるユニット制御情報（例えば、ナビゲーション情報或はリアルタイムデータ情報と称する）は、ＲＤＩ一般情報（ＲＤＩ＿ＧＩ）、ディスプレイ制御情報及びコピー制御情報（ＤＣＩ＿ＣＣＩ）、製造者情報（ＭＮＦＩ）を含む。ＲＤＩ＿ＧＩは、このＲＤＩが属するＶＯＢＵの最初のビデオフィールドのプレゼンテーション開始時間（ＶＯＢＵ＿Ｓ＿ＰＴＭ）、ＶＯＢＵ記録時間（ＶＯＢＵ＿ＲＥＣ＿Ｔ）を含む。ディスプレイ制御情報（ＤＣＩ）は、アスペクト比情報：4ビット、サブタイトル（字幕）情報：2ビット、予約：１ビット、フィルムカメラモード：1ビットからなる。
【００５１】
コピー制御情報ＣＣＩは、コピー世代管理システム（ＣＧＭＳ）情報（2ビット）が含まれる。この情報が００のときはコピー許可、１１のときはコピー禁止（非許可）であることを示す。
【００５２】
図４の符号ａで示す列は、図３のように第１の記録フォーマットにフォーマット化されるオーディオパックを集合させた場合の例えばリニアPCMのサンプル列を示している。各サンプル列は、主チャンネルのサンプル、副チャンネルのサンプル、主チャンネルのサンプル、…のように主チャンネルと副チャンネルのサンプルが配列されている。そしてこのサンプル列は、ビデオレコーディング規格（DVD−RAM）への記録）では、１ストリームとして取り扱われる。なお、リニアPCMオーディオの場合、８０或は１６０サンプルがオーディオフレームとして定義され、オーディオフレームのグループ０〜１９が１GOF（１グループオフフレーム）として定義され、このGOFがオーディオストリームを形成している。そしてこのオーディオストリームのサンプルがオーディオパックに割り当てられている。
【００５３】
上記の実施の形態は、第１の記録フォーマットを第２の記録フォーマットに変換する際、上記の１ストリームのオーディオストリームを２つのストリームのオーディオストリームに変換するものである。この場合、主チャンネルのサンプル列を第１のストリームとし、副チャンネルのサンプル列を第２のストリームとする。即ち、図４の符号ｂで示すように２つのストリームに変換するものである。
【００５４】
図５は、第２の記録フォーマットに変換された音声情報が含まれるVOBU内のパック列の例を示している。即ち、図５は、図４の符号ｂで示す２つのストリームが、他のパックと共にビデオオブジェクトユニットVOBU内に格納された様子を示している。１つのVOBUの先頭にはRDIパックが配列され、その後にビデオパック、オーディオパック、副映像パックなどが配列される。オーディオパックとしては他のストリームのパックも含まれてよいことは勿論である。
【００５５】
ここで、オーディオパックは、VOBU列の中に配列されるが、第１のストリーム（主チャンネル）と第２のストリーム（副チャンネル）とは、サブストリームIDにより識別されている。図５のVがビデオパック、A（主）が主チャンネルのストリーム、SPが副映像パック、A（副）が副チャンネルのストリームである。この場合、先に生成した新たな別ストリームのパックが含まれていてもよい。
【００５６】
図６には、１つのオーディオパックを取り出して示している。他のビデオパック、及び副映像パックも同様なパックヘッダ、パケットヘッダを有する。ここではパケットヘッダの内容の主なところを示している。
【００５７】
パックヘッダにはシステムクロックリファレンスが記述されている。このシステムクロックリファレンスは、装置内のシステムクロックと比較され、その比較結果は、装置内で情報をパック単位で取り扱う場合いのタイミング情報として用いられる。パックヘッダの後にパケットヘッダが存在し、次にオーディオデータが存在する。
【００５８】
パケットヘッダには、パケットスタートコードが配置されている。この次に、ビデオストリーム、オーディオストリーム、副映像ストリームの識別情報であるストリームID（この場合はオーディオであることを示すID）が記述されている。またパケットヘッダには、ＰＥＳ（パケットエレメンタリーストリーム）スクランブリングコントロールの情報（スクランブルがかかっているかどうかを基本的に示す）が配置されている。また、図示していないが、その他、著作権情報、オリジナルかコピーしたものであるかを示す情報等が配置可能になっている。
【００５９】
さらにまた、再生出力を、関連するストリーム（ビデオ、オーディオ、副映像）間で同期して出力するためのプレゼンテーション時間情報（タイムスタンプ）が記述されている。
【００６０】
また、パック長を所定長に維持するためにスタッフィングバイトを設けるエリアも確保されている。次に、サブストリームIDが記述されている。このサブストリームIDは、本パックが先に述べた主チャンネルのパック、副チャンネルのパックのいずれであるかを識別させるためのIDである。これのサブストリームIDを設けることにより、２つのストリームを識別することが可能となる。
【００６１】
即ち、この発明は、少なくとも２チャンネルの音声データを、単一のストリームとなる第1のフォーマットの音声ストリームに変換する第1のフォーマッタ（FRM）を有する。また変換された前記第1のフォーマットの音声ストリームを記録する第1の記録装置（HDD）を有する。そして、第1の記録装置に記録された、前記第1のフォーマットの音声ストリームを、チャンネル毎に、ひとつのストリームに変換し、少なくとも第1及び第2の音声ストリームを生成し、各チャンネルに対応した当該第1及び第2の音声ストリームに対してストリーム識別子（サブストリームID）を与えて、第２のフォーマットの音声ストリームに変換する第2のフォーマッタ（３０）とを有するものである。
【００６２】
図７は、この発明の基本的な考え方を図式化して示している。音声信号がアナログの時は、アナログ変換部２０１、スイッチ２０２を介して第１の記録フォーマット生生部２０３に入力される。音声信号がデジタルの時は、スイッチ２０２を介して第１の記録フォーマット生成部２０３に入力される。ここでの処理は、図２で説明したようにマルチプレクサ（A6）における処理に対応する。
【００６３】
第１のフォーマットの記録情報は、例えばハードディスク２００１に記録される。次に、ハードディスク２００１に記録されている情報が、第２のフォーマットに変換されて光ディスク１００１に記録される場合には、以下のような処理が行なわれる。この処理において、デジタルオーディオ情報は、デジタル音声処理器３０１に入力される。このデジタル音声処理器３０１は、図４で説明したように第１の記録フォーマットの音声ストリームを受け取る。そして、その管理情報が主チャンネルと副チャンネルを有するモードを示しているときは、主チャンネルのパックと、副チャンネルのパックを分けて第２の記録フォーマット生成部３０２に供給する。さらに第２の記録フォーマット生成部３０２では、主チャンネルのオーディオデータパックのストリームと、副チャンネルのオーディオデータパックのストリームを生成し（図４の符号ｂ参照）、図５に示したように他のパックと混合してVOBUを生成し、これを光ディスク１００１に記録する。
【００６４】
この場合、第２の記録フォーマット生成部３０２は、図６で説明したように、各ストリームを識別するためにサブストリームIDを付加している。
【００６５】
上記の処理により、サブストリームIDを識別し、音声多重信号を処理する再生装置は、正確に主音声と、副音声の出力切り替えを得ることができる。また第3のストリームとして元のストリームを残しておいてもよい。この場合は、主＋副音声の合成音声を聞くことができるもので、Lチャンネルに主音声を出力し、Rチャンネルの副音声を出力することができる。
【００６６】
即ち、上記の装置は、入力された少なくとも音声データを、Mチャンネルで構成される１つのストリーム形式の第１のフォーマットに変換し、第１の記録部に記録する手段と、前記第１のフォーマットのデータを読出し、N個のストリームに分離し、それぞれのストリームに識別子を付加した第２のフォーマットに変換するフォーマット変換手段と、前記フォーマット変換手段から得られたストリームを第２の記録部に記録する手段とを備える。
【００６７】
この発明は上記の実施の形態に限定されるものではない。上記の実施の形態は、第１の記録フォーマットを第２の記録フォーマットに変換する際、主音声、副音声用の２つのストリームを生成した、しかし、これに限らず、例えば６チャンネル用のストリームを生成してもよい。この場合は、例えば左右チャンネル用の音声データ（第１ストリーム）には、×０．３、他の４つのチャンネル（第２ストリーム）には、×０．７という係数をかけて、これらを合成し、新たな音声データを生成してもよい。この処理は、例えばサラウンド音声データの各チャンネルを含むストリームを得ることになる。または、最初から２チャンネルの音声データを、６チャンネルの音声データとして形成し、この６チャンネルの音声データをそれぞれ別ストリーム（６ストリーム）に識別できるようにしてもよい。２チャンネルの音声データを６チャンネルの音声データに変換する場合には、２チャンネルの音声データに対して、各チャンネルに応じて適宜係数をかけて、各チャンネルのデータを生成する。ステレオ音声（L、R）チャンネルのデータをさらに複数のチャンネルとする場合は、リア左、リア右に応じて、左右チャンネルの音声データにかける係数が調整される。
【００６８】
この発明は、上記の実施の形態に限定されるものではない。上記の実施の形態は、例えばオーディオデータをリニアPCM方式で処理する場合に有効である。しかしオーディオデータの取扱いは、DVD規格では、AC3、MPEG方式等もサポートしている。そこで、さらに、第１の記録フォーマット生成部では、AC3、MPEG方式等で圧縮された音声データも処理することができるようになっている。
【００６９】
図８は、音声データの圧縮データ、非圧縮データを取り扱うことができる装置に適用されるフォーマット変換装置の基本構成を示している。図７と同一部分には同一符号を付して説明する。この実施の形態では、スイッチ２０２は、エンコーダ２１１からの圧縮オーディオデータを選択することもできる。その他、スイッチ２０２は、先に述べたようにアナログデジタル変換部２０１からの非圧縮オーディオデータ、或は外部から直接与えられるデジタルオーディオデータを選択的に第１の記録フォーマット生成部２０３に導入することができる。
【００７０】
この第１の記録フォーマット生成部２０３での処理は、図２で説明したようにマルチプレクサ（A6）における処理に対応する。第１のフォーマットの記録情報は、例えばハードディスク２００１に記録される。
【００７１】
次に、ハードディスク２００１に記録されている情報が、第２のフォーマットに変換されて光ディスク１００１に記録される場合には、以下のような処理が行なわれる。この処理において、デジタルオーディオ情報は、まず判別器３１１に入力され、このデジタルオーディオ情報が、AC3、MPEG方式等で圧縮された音声データであるかどうか、また非圧縮デジタルオーディオデータ（リニアPCM）であるかどうかの判定が行われる。この判定は、オーディオストリームIDの内容から判定可能である。
【００７２】
デジタルオーディオ情報が圧縮されたデータである場合は、このデジタルオーディオ情報は、オーディオエンコーダ３１２でエンコードされて非圧縮デジタルオーディオデータとして、デジタル音声処理器３０１に入力される。また、非圧縮デジタルオーディオデータの場合は、判別器３１１の出力が直接デジタル音声処理器３０１に入力される。
【００７３】
このデジタル音声処理器３０１での処理は、先に説明した処理と同じである。即ち、図４で説明したように第１の記録フォーマットの音声ストリームを受け取る。そして、その管理情報が主チャンネルと副チャンネルを有するモードを示しているときは、主チャンネルのパックと、副チャンネルのパックを分けて第２の記録フォーマット生成部３０２に供給する。第２の記録フォーマット生成部３０２では、主チャンネルのオーディオデータパックのストリームと、副チャンネルのオーディオデータパックのストリームを生成し（図４の符号ｂ参照）、図５に示したように他のパックと混合してVOBUを生成し、これを光ディスク１００１に記録する。この場合も、第２の記録フォーマット生成部３０２は、図６で説明したように、各ストリームを識別するためにサブストリームIDを付加している。
【００７４】
この発明は、上記の実施の形態に限定されるものではない。光ディスク１００１に記録する場合にも、AC3、MPEG方式等をサポートするように記録してもよい。
【００７５】
図９において、図８と同一部分には同一符号を付して説明する。この実施の形態では、スイッチ２０２は、エンコーダ２１１からの圧縮オーディオデータを選択することもできる。その他、スイッチ２０２は、先に述べたようにアナログデジタル変換部２０１からの非圧縮オーディオデータ、或は外部から直接与えられるデジタルオーディオデータを選択的に第１の記録フォーマット生成部２０３に導入することができる。
【００７６】
この第１の記録フォーマット生成部２０３での処理は、図２で説明したようにマルチプレクサ（A6）における処理に対応する。第１のフォーマットの記録情報は、例えばハードディスク２００１に記録される。
【００７７】
次に、ハードディスク２００１に記録されている情報が、第２のフォーマットに変換されて光ディスク１００１に記録される場合には、以下のような処理が行なわれる。この処理において、デジタルオーディオ情報は、まず判別器３１１に入力され、このデジタルオーディオ情報が、AC3、MPEG方式等で圧縮された音声データであるかどうか、また非圧縮デジタルオーディオデータ（リニアPCM）であるかどうかの判定が行われる。この判定は、オーディオストリームIDの内容から判定可能である。
【００７８】
デジタルオーディオ情報が圧縮されたデータである場合は、このデジタルオーディオ情報は、オーディオエンコーダ３１２でエンコードされて非圧縮デジタルオーディオデータとして、デジタル音声処理器３０１に入力される。また、非圧縮デジタルオーディオデータの場合は、判別器３１１の出力が直接デジタル音声処理器３０１に入力される。
【００７９】
このデジタル音声処理器３０１での処理は、先に説明した処理と同じである。即ち、図４で説明したように第１の記録フォーマットの音声ストリームを受け取る。そして、その管理情報が主チャンネルと副チャンネルを有するモードを示しているときは、主チャンネルのパックと、副チャンネルのパックを分けて第２の記録フォーマット生成部３０２に供給する（ただし、この処理は、第１の記録フォーマット時代のオーディオデータが非圧縮オーディオデータである場合である）。第１の記録フォーマット時代のオーディオデータが圧縮オーディオデータであった場合は、各パックのオーディオデータを、オーディオエンコーダ３１３に入力する。このオーディオエンコーダ３１３では、非圧縮オーディオデータを、AC3、MPEG方式等で圧縮された音声データに変換し、再度パック化し、第２の記録フォーマット生成部３０２に供給する。スイッチ群３１４は、デジタル音声処理器３０１からの非圧縮オーディオデータのパックを第２の記録フォーマット生成部３０２に直接供給する場合と、オーディオエンコーダ３１３に供給する場合とを切り替えるためのものである。
【００８０】
第２の記録フォーマット生成部３０２では、主チャンネルのオーディオデータパックのストリームと、副チャンネルのオーディオデータパックのストリームを生成し（図４の符号ｂ参照）、図５に示したように他のパックと混合してVOBUを生成し、これを光ディスク１００１に記録する。この場合も、第２の記録フォーマット生成部３０２は、図６で説明したように、各ストリームを識別するためにサブストリームIDを付加している。
【００８１】
上記の実施の形態は、先の実施の形態に対して、さらに、フォーマット変換手段は、前記第１のフォーマットのデータが圧縮データであるか、非圧縮データであるかを判別する手段と、データが圧縮データである場合には、この圧縮データをデコードする手段と、このデコード手段からの出力を第２のフォーマットに変換するする手段とを備えることになる。
【００８２】
この発明は、上記の実施の形態に限るものではない。
【００８３】
図１０はこの発明の他の実施の形態である。この実施の形態では、チャンネル分離を先に実行して、ハードディスクに記録するというものである。即ち、アナログデジタル変換部２０１の出力または直接デジタル入力のいずれかがスイッチ２０２により選択されて、デジタル音声処理部４１１に入力される。ここでは各音声データが分離される。ここでも上記した各実施の形態と同様に、音声データが複数チャンネル（例えば５チャンネル）である場合、第１のチャンネル（ストリーム）の音声データには、×０．３、他の４つの各チャンネル（ストリーム）には、×０．７という係数をかけて、これらを合成し、新たな音声データを生成し、更に別ストリームとしてもよい。そして、第１の記録フォーマット生成部２０３ａでは、各音声データを各ストリーム（図４で説明したようなストリ）に編成し、例えばＶＯＢＵに格納しハードディスク２００１に記録する。ここでは、必ずしもVOBU単位のフォーマットに変換する必要はない。
【００８４】
次に、ハードディスク２００１から読み出されたデータを、例えば光ディスク（DVD-R）にする場合には、読み出されたデータを第２の記録フォーマット生成部３０２ａに入力する。第２の記録フォーマット生成部３０２ａでは、記録メディアに対応したフォーマット及び管理情報を作成して、光ディスク１００１に記録する。
【００８５】
図１１はさらにこの発明の他の実施の形態である。例えば光ディスク１００１ａがDVD-RWであるとする。この場合は、図１０の実施の形態に比べて、デジタル音声処理器４１１と第１の記録フォーマット生成部２０３ａとの間に、オーディオエンコーダ５１１が追加されている。これにより、光ディスク１００１には、圧縮されたオーディオデータを記録することが可能となる。他の部分は、先の実施の形態と同じである。
【００８６】
なお、図７から図１１に示したスイッチ、第１の記録フォーマット生成部、第２の記録フォーマット生成部、デジタル音声処理部などは、ハードウエアとして構成されてもよいし、デジタル信号プロセッサ（DSP）により構成されても良いし、またソフトウエアで実現されてもよい。
【００８７】
またこの発明は上記の実施の形態に限定されるものではない。少なくとも２チャンネルの音声データを含む１つのストリームの情報が入力され、この情報を少なくとも２つのストリームに増加する手段有し、少なくとも２つのストリームのデータをフォーマット化して記録媒体に記録する手段を有することもこの発明の範疇である。また録媒体に記録する手段は、予め用意していたメニュー情報を各ストリームに対応させて記録する手段を含むものでもよい。メニュー情報は、２つのストリームが音声多重信号であること、あるいはステレオ信号、あるいはマルチチャンネル信号などのタイプ、さらには、記録日付等である。そして、再生装置では、このメニュー情報をディスプレイに表示するようにしてもよい。この場合は、図１に示すように、例えばメニュー情報処理部が動作し、メニュー記録部に予め用意したデータをディスクのメニュー情報領域に記録する。
【００８８】
再生装置は、データ再生時のメニュー表示モードにおいては、上記したメニュー情報を読み取り、音声信号のタイプを表示することができる。また、音声信号のタイプを表示した場合、それに伴い、ストリーム選択、チャンネル選択等のユーザ操作方法を分り易く表示するようにしてもよい。
【００８９】
以上説明した本発明によれば、音声多重信号などのような多チャンネル信号を正確に取り扱うことが可能な情報記録再生装置を提供することができる。
【図面の簡単な説明】
【００９０】
【図１】この発明が適用された情報記録再生装置の構成例を示す図。
【図２】音声多重信号の処理経路の例を示す説明図。
【図３】記録再生用DVDビデオ規格におけるデータ構成の一部を説明するために示した説明図。
【図４】本発明における第１の記録フォーマットと第２の記録フォーマットにおける音声チャンネル（データ）のストリームの例を示す説明図。
【図５】第２の記録フォーマットと記録再生用DVDビデオ規格のパケット列との関係を示す説明図。
【図６】本発明に係わるオーディオパックのデータ構成の説明図。
【図７】本発明の基本的概念のブロックを取り出して示す図。
【図８】本発明の他の実施の形態を示す図。
【図９】本発明の更に他の実施の形態を示す図。
【図１０】本発明の更にまた他の実施の形態を示す図。
【図１１】本発明のまた他の実施の形態を示す図。
【符号の説明】
【００９１】
３０…マイクロコンピュータブロック、５０…デコーダ部、６０…エンコーダ部、１００１…光ディスク、１００２…ディスクドライブ、１００３…データプロセッサ、２００１…ハードディスク、２００２…ハードディスクドライブ。
【図１】
2004355806.tif 000003
【図２】
2004355806.tif 000004
【図３】
2004355806.tif 000005
【図４】
2004355806.tif 000006
【図５】
2004355806.tif 000007
【図６】
2004355806.tif 000008
【図７】
2004355806.tif 000009
【図８】
2004355806.tif 000010
【図９】
2004355806.tif 000011
【図１０】
2004355806.tif 000012
【図１１】
2004355806.tif 000013